(57)【特許請求の範囲】
【請求項１】
自端末に近接する物体の静電容量を測定する静電容量測定部と、
前記静電容量測定部によって測定された前記静電容量に応じて、自端末に近接する物体の種類を判定する判定部と、
自端末に近接する物体の種類に応じて、自端末の動作を制御する制御部とを備え、
前記制御部は、
前記物体が金属であり、自端末の通信状態が通信中であるケースにおいて、通信パラメータとして、Ｔｉｍｅ  ｔｏ  ＴｒｉｇｇｅｒまたはＲｅｐｏｒｔｉｎｇ  Ｒａｎｇｅの少なくとも何れかを予め定められた最適値に設定すること、または
前記物体が金属であり、前記通信状態が待受け中であるケースにおいて、通信パラメータとして、間欠受信周期、ＴｒｅｓｅｌｅｃｔｉｏｎまたはＱｈｙｓｔの少なくとも何れかを予め定められた最適値に設定することの少なくとも何れかを実行することを特徴とする無線端末。
【請求項２】
前記静電容量測定部によって測定された前記静電容量を誘電率に変換する変換部をさらに備え、
前記判定部は、前記変換部によって変換された前記誘電率に基づいて、自端末に近接する物体の種類を判定することを特徴とする請求項１に記載の無線端末。
【請求項３】
物体の静電容量と物体の種類とが予め対応付けられた制御テーブルを記憶する記憶部をさらに備え、
前記判定部は、前記制御テーブルを参照して、自端末に近接する物体の種類を判定することを特徴とする請求項１に記載の無線端末。
【請求項４】
前記静電容量測定部は、前記静電容量を複数の位置で測定し、
前記判定部は、前記複数の位置で測定された前記静電容量に応じて、自端末に近接する物体の種類を判定することを特徴とする請求項１に記載の無線端末。
【請求項５】
前記制御部は、自端末に設けられたアンテナの制御、無線通信に用いる通信パラメータの制御、又は、自端末の呼び出しを通知する着信通知の制御を行うことを特徴とする請求項１に記載の無線端末。
【請求項６】
無線端末に近接する物体の静電容量を測定するステップＡと、
前記ステップＡで測定された前記静電容量に応じて、無線端末に近接する物体の種類を判定するステップＢと、
無線端末に近接する物体の種類に応じて、無線端末の通信状態を制御するステップＣとを含み、
前記ステップＣでは、
前記物体が金属であり、自端末の通信状態が通信中であるケースにおいて、通信パラメータとして、Ｔｉｍｅ  ｔｏ  ＴｒｉｇｇｅｒまたはＲｅｐｏｒｔｉｎｇ  Ｒａｎｇｅの少なくとも何れかを予め定められた最適値に設定すること、または
前記物体が金属であり、前記通信状態が待受け中であるケースにおいて、通信パラメータとして、間欠受信周期、ＴｒｅｓｅｌｅｃｔｉｏｎまたはＱｈｙｓｔの少なくとも何れかを予め定められた最適値に設定することの少なくとも何れかを実行することを特徴とする無線通信方法。
【発明の詳細な説明】
【技術分野】
【０００１】
本発明は、自端末の環境状態に応じて、自端末の動作を制御する無線端末及び無線通信方法に関する。
【背景技術】
【０００２】
従来、無線端末に各種センサが設けられており、各種センサの検出結果に応じて、無線端末の動作を制御する方法が知られている。無線端末の動作とは、例えば、無線通信に使用するアンテナ（使用アンテナ）の切り替え制御、複数の使用アンテナの位相制御、使用アンテナの指向性制御などである。
【０００３】
例えば、自端末の傾きを検出する加速度センサが設けられた無線端末が提案されている（例えば、特許文献１）。この無線端末は、加速度センサの検出結果に応じて、使用アンテナの指向性を制御する。
【０００４】
また、自端末に近接する物体の有無を検出するセンサが設けられた無線端末も知られている。この無線端末は、自端末に近接する物体の有無に応じて、自端末の動作を制御する。
【特許文献１】特開２００４−６４７４１号公報（例えば、請求項１、［００２８］）
【発明の開示】
【発明が解決しようとする課題】
【０００５】
ところで、無線端末の環境状態としては、様々な環境状態が考えられる。例えば、ユーザが通信を開始しようとする場合には、無線端末はユーザの手に保持された状態となる。ユーザが通信を行わない場合には、無線端末は、鞄の中に入れられた状態や机の上に置かれた状態となる。
【０００６】
このように、無線端末の制御は、無線端末の環境状態と密接な関係を有している。従って、無線端末の制御は、無線端末の環境状態に応じて制御されることが好ましい。
【０００７】
しかしながら、上述した従来技術では、単に、自端末に近接する物体の有無や自端末の傾きに応じて、無線端末が制御されるに過ぎない。従って、無線端末が適切に制御されない可能性がある。
【０００８】
そこで、本発明は、上述した課題を解決するためになされたものであり、自端末の環境状態に応じて、自端末の動作を適切に制御することを可能とする無線端末及び無線通信方法を提供することを目的とする。
【課題を解決するための手段】
【０００９】
一の特徴では、無線端末は、自端末に近接する物体の静電容量を測定する静電容量測定部（センサ５０、静電容量測定部１２）と、前記静電容量測定部によって測定された前記静電容量に応じて、自端末に近接する物体の種類を判定する判定部（判定部１５）と、自端末に近接する物体の種類に応じて、自端末の動作を制御する制御部（制御部１６）とを備える。
【００１０】
かかる特徴によれば、判定部は、自端末に近接する物体の種類を静電容量に応じて判定し、制御部は、自端末に近接する物体の種類に応じて自端末の動作を制御する。従って、単に、自端末に近接する物体の有無や自端末の傾きに応じて無線端末の動作を制御する場合に比べて、自端末の環境状態に応じて無線端末の動作を適切に制御することができる。
【００１１】
上述した特徴において、前記判定部は、ネットワーク側と送受信する制御信号に応じて、自端末の通信状態を判定し、前記制御部は、自端末に近接する物体の種類に加えて、自端末の通信状態に応じて、自端末の動作を制御することが好ましい。
【００１２】
上述した特徴において、前記静電容量測定部によって測定された前記静電容量を誘電率に変換する変換部（変換部１３）をさらに備え、前記判定部は、前記変換部によって変換された前記誘電率に基づいて、自端末に近接する物体の種類を判定することが好ましい。
【００１３】
上述した特徴において、物体の静電容量と物体の種類とが予め対応付けられた制御テーブル（図４及び図５に示すテーブル）を記憶する記憶部（テーブル格納部１４）をさらに備え、前記判定部は、前記制御テーブルを参照して、自端末に近接する物体の種類を判定することが好ましい。
【００１４】
上述した特徴において、前記静電容量測定部は、前記静電容量を複数の位置で測定し、前記判定部は、前記複数の位置で測定された前記静電容量に応じて、自端末に近接する物体の種類を判定することが好ましい。
【００１５】
上述した特徴において、前記制御部は、自端末に設けられたアンテナの制御、無線通信に用いる通信パラメータの制御、又は、自端末の呼び出しを通知する着信通知の制御を行うことが好ましい。
【００１６】
一の特徴では、無線通信方法は、無線端末に近接する物体の静電容量を測定するステップＡと、前記ステップＡで測定された前記静電容量に応じて、無線端末に近接する物体の種類を判定するステップＢと、無線端末に近接する物体の種類に応じて、無線端末の動作を制御するステップＣとを含む。
【発明の効果】
【００１７】
本発明によれば、自端末の環境状態に応じて、自端末の動作を適切に制御することを可能とする無線端末及び無線通信方法を提供することができる。
【発明を実施するための最良の形態】
【００１８】
以下において、本発明の実施形態に係る無線端末について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［第１実施形態］
（無線端末の周辺環境）
以下において、第１実施形態に係る無線端末の周辺環境について、図面を参照しながら説明する。図１は、第１実施形態に係る無線端末１０の周辺環境について説明するための図である。
【００２１】
図１（ａ）及び図１（ｂ）に示すように、無線端末１０の近傍には、何らかの物体（人体を含む）が存在していることが一般的である。例えば、図１（ａ）に示すように、机、椅子、棚などの物体１００上に無線端末１０が載置されているケースが考えられる。図１（ｂ）に示すように、ユーザ２００が所持しているケースが考えられる。
【００２２】
これらの他にも、無線端末１０が鞄などの中に入っているケース、台座型の充電器に無線端末１０が載置されているケースなども考えられる。
【００２３】
（無線端末の構成）
最初に、第１実施形態に係る無線端末の外観について、図面を参照しながら説明する。図２は、第１実施形態に係る無線端末１０の外観を示す図である。
【００２４】
図２に示すように、無線端末１０は、アンテナ２０と、音声出力部３０と、音声集音部４０と、複数のセンサ５０（センサ５０ａ〜センサ５０ｃ）とを有する。
【００２５】
アンテナ２０は、基地局やアクセスポイントなどから電波を受信する。アンテナ２０は、単数のアンテナ素子によって構成されていてもよく、複数のアンテナ素子によって構成されていてもよい。
【００２６】
アンテナ２０が複数のアンテナ素子によって構成されているケースでは、各アンテナ素子は、アンテナ２０の指向性パターンの生成、ダイバーシチ送信、ダイバーシチ受信などに用いられる。以下においては、アンテナ２０が複数のアンテナ素子によって構成されていることを前提として説明する。
【００２７】
音声出力部３０は、音声などを出力するスピーカである。音声集音部４０は、音声などを集音するマイクである。
【００２８】
センサ５０は、静電容量を検出可能に構成された静電容量センサである。例えば、センサ５０ａは、音声出力部３０の近傍に設けられており、センサ５０ｂは、音声集音部４０の近傍に設けられている。センサ５０ｃは、無線端末１０の側面、すなわち、無線端末１０の持ち手部分に設けられている。
【００２９】
続いて、第１実施形態に係る無線端末の機能について、図面を参照しながら説明する。図３は、第１実施形態に係る無線端末１０の機能を示すブロック図である。
【００３０】
図３に示すように、無線端末１０は、通信部１１と、静電容量測定部１２と、変換部１３と、テーブル格納部１４と、判定部１５と、制御部１６とを有する。なお、図３では、上述したアンテナ２０、音声出力部３０、音声集音部４０及びセンサ５０が省略されていることに留意すべきである。
【００３１】
通信部１１は、アンテナ２０（図３では不図示）に接続されており、基地局やアクセスポイントなどを介してネットワーク側と通信を行う。通信部１１は、通信において必要とされる各種処理を行う。例えば、通信部１１は、後述する制御部１６の指示に従って、アンテナ２０の指向性を制御する指向性制御、通信に用いるアンテナ素子を切り替えるダイバーシチ制御などを行う。
【００３２】
静電容量測定部１２は、センサ５０によって検出された静電容量を測定する。ここでは、静電容量測定部１２とセンサ５０とを別々に記載しているが、静電容量測定部１２がセンサ５０に設けられていると考えてもよいことは勿論である。
【００３３】
なお、静電容量測定部１２によって測定される静電容量は、以下の（式１）によって表される。
【数１】
0005070027.tif 000002
但し、Ｃ＝静電容量、ε＝物体の誘電率、Ｓ＝センサ５０の検出面積、ｄ＝センサ５０と物体との距離
【００３４】
このように、静電容量は、物体の誘電率、センサ５０の検出面積及びセンサ５０と物体との距離などによって変化する。
【００３５】
ここで、物体は、無線端末１０（アンテナ２０）が放射する電波の波長に対して十分に大きな寸法を有しており、無線端末１０に十分に近接していることを前提とする。従って、静電容量測定部１２によって測定された静電容量（センサ５０によって検出された静電容量）は、誘電率に置き換えることが可能である。
【００３６】
変換部１３は、静電容量測定部１２によって測定された静電容量を誘電率に変換する。ここで、誘電率は、複素誘電率や比誘電率であることに留意すべきである。
【００３７】
具体的には、変換部１３は、センサ５０の構成に応じて理論計算によって誘電率を算出してもよい。また、変換部１３は、図４に示すように、静電容量と誘電率とを予め対応付けるテーブルを参照して静電容量を誘電率に変換してもよい。
【００３８】
図４に示すテーブルについては、無線端末１０の近傍に様々な物体を配置した状態において、静電容量及び誘電率を取得することによって、予め作成することが可能である。
【００３９】
テーブル格納部１４は、図５に示すように、物体の種類と誘電率とを予め対応付けるテーブルを格納する。なお、物体の種類と誘電率とは１対１の関係を満たすため、静電容量から物体の種類を特定する場合に比べて、誘電率から物体の種類を特定する方が好ましいことに留意すべきである。
【００４０】
判定部１５は、変換部１３によって変換された誘電率に基づいて、無線端末１０に近接する物体（以下、近接物体）の種類を判定する。具体的には、判定部１５は、テーブル格納部１４に格納されたテーブルを参照して、変換部１３によって変換された誘電率に対応する物体の種類を判定する。
【００４１】
判定部１５は、通信部１１が送受信する各種信号に基づいて、無線端末１０の通信状態（“待受け中”又は“通信中”）を判定する。具体的には、判定部１５は、音声通話やパケットの発信要求によって、無線端末１０が“待受け中”から“通信中”に遷移したと判定する。判定部１５は、音声通話やパケットの終了要求によって、無線端末１０が“通信中”から“待受け中”に遷移したと判定する。
【００４２】
制御部１６は、無線端末１０の動作を統括的に制御する。例えば、制御部１６は、判定部１５によって判定された近接物体の種類及び通信状態に応じて、アンテナ制御、通信パラメータ制御及び端末設定制御を行う。
【００４３】
アンテナ制御は、ダイバーシチ制御及び指向性制御を含む。ダイバーシチ制御は、通信に用いるアンテナ素子を切り替える処理である。指向性制御は、アンテナ２０の指向性を制御する処理である。
【００４４】
通信パラメータ制御は、通信に用いる通信パラメータを設定する処理である。通信パラメータは、（１）通信状態が“通信中”であるケースにおけるパラメータと、（２）通信状態が“待受け中”であるケースにおけるパラメータとが考えられる。
【００４５】
（１）“通信中”における通信パラメータとしては、無線リンク（Ｒａｄｉｏ  Ｌｉｎｋ）の追加、削除又は入れ替え、すなわち、ハンドオーバに関する通信パラメータが考えられる。ハンドオーバに関する通信パラメータは、例えば、“Ｒｅｐｏｒｔｉｎｇ  Ｒａｎｇｅ”、“Ｈｙｓｔｅｒｉｓｉｓ（１Ｃ）”、“Ｔｉｍｅ  ｔｏ  Ｔｒｉｇｇｅｒ”などである。
【００４６】
“Ｒｅｐｏｒｔｉｎｇ  Ｒａｎｇｅ”は、無線リンクの追加（ｅｖｅｎｔ  １ａ）において、アクティブセルからの信号の受信品質から監視セルからの信号の受信品質を除いた受信品質差が満たすべき範囲（閾値）である。なお、アクティブセルは、無線端末１０と通信を行っているセルである。監視セルは、無線端末１０が受信品質を監視するセルであり、無線リンクを新たに追加するセルの候補である。
【００４７】
“Ｈｙｓｔｅｒｉｓｉｓ（１Ｃ）”は、無線リンクの入れ替え（ｅｖｅｎｔ  １ｃ）において、監視セルからの信号の受信品質からアクティブセルからの信号の受信品質を除いた受信品質差が満たすべき条件（閾値）である。
【００４８】
“Ｔｉｍｅ  ｔｏ  Ｔｒｉｇｇｅｒ”の種類としては、無線リンクの追加で用いられる“Ｔｉｍｅ  ｔｏ  Ｔｒｉｇｇｅｒ（１Ａ）”と、無線リンクの入れ替えで用いられる“Ｔｉｍｅ  ｔｏ  Ｔｒｉｇｇｅｒ（１Ｃ）”とが挙げられる。
【００４９】
“Ｔｉｍｅ  ｔｏ  Ｔｒｉｇｇｅｒ（１Ａ）”は、受信品質差が“Ｒｅｐｏｒｔｉｎｇ  Ｒａｎｇｅ”内に収まっているべき時間（閾値）である。受信品質差が“Ｒｅｐｏｒｔｉｎｇ  Ｒａｎｇｅ”内に収まっている時間が“Ｔｉｍｅ  ｔｏ  Ｔｒｉｇｇｅｒ（１Ａ）”を超えた場合に、無線リンクの追加（ｅｖｅｎｔ  １ａ）が行われる。
【００５０】
“Ｔｉｍｅ  ｔｏ  Ｔｒｉｇｇｅｒ（１Ｃ）”は、受信品質差が“Ｈｙｓｔｅｒｉｓｉｓ（１Ｃ）”を超えているべき時間（閾値）である。受信品質差が“Ｈｙｓｔｅｒｉｓｉｓ（１Ｃ）”を超えている時間が“Ｔｉｍｅ  ｔｏ  Ｔｒｉｇｇｅｒ（１Ｃ）”を超えた場合に、無線リンクの入れ替え（ｅｖｅｎｔ  １ｃ）が行われる。
【００５１】
（２）“待受け中”における通信パラメータとしては、間欠受信周期、セル選択（Ｃｅｌｌ  Ｓｅｌｅｃｔｉｏｎ）やセル再選択（Ｃｅｌｌ  Ｒｅｓｅｌｅｃｔｉｏｎ）に関する通信パラメータが考えられる。
【００５２】
間欠受信周期は、無線端末１０が在圏する在圏セル（Ｓｅｒｖｉｎｇ  Ｃｅｌｌ）からのパイロット信号を受信する周期、在圏セルの周辺に設けられた周辺セル（Ｎｅｉｂｏｕｒｉｎｇ  Ｃｅｌｌ）からのパイロット信号を受信する周期である。
【００５３】
セル選択やセル再選択に関する通信パラメータは、例えば、“Ｔｒｅｓｅｌｅｃｔｉｏｎ”や“Ｑｈｙｓｔ”などである（例えば、３ＧＰＰ  ＴＳ２５．３０４  ５．２．６「Ｃｅｌｌ  Ｒｅｓｅｌｅｃｔｉｏｎ  Ｅｖａｌｕａｔｉｏｎ  Ｐｒｏｃｅｓｓ」）。
【００５４】
“Ｑｈｙｓｔ”は、周辺セルからの信号の受信品質から在圏セルからの信号の受信品質を除いた受信品質差が満たすべき条件（閾値）である。
【００５５】
“Ｔｒｅｓｅｌｅｃｔｉｏｎ”は、受信品質差が“Ｑｈｙｓｔ”を超えているべき時間（閾値）である。受信品質差が“Ｑｈｙｓｔ”を超えている時間が“Ｔｒｅｓｅｌｅｃｔｉｏｎ”を超えた場合に、セル選択（又は、セル再選択）が行われる。
【００５６】
端末設定制御は、ネットワーク側から呼び出し要求を受信した場合に、呼び出しをユーザに通知する着信通知を設定する処理などである。着信通知は、着信音の出力やバイブレーションによって行われる。
【００５７】
具体的には、制御部１６は、近接物体の種類及び通信状態に応じて、図６に示す動作（動作Ａ〜動作Ｊ）を制御する。
【００５８】
（動作Ａ）
動作Ａは、近接物体が“人体”であり、通信状態が“通信中”であるケースにおける無線端末１０の動作（アンテナ制御）である。
【００５９】
具体的には、人体から遠いアンテナ素子が人体に近いアンテナ素子よりも優先的に用いられるように、通信に用いるアンテナ素子が切り替えられる（ダイバーシチ制御）。なお、通信に用いられるアンテナ素子は、単数のアンテナ素子であっても、複数のアンテナ素子であってもよい。
【００６０】
人体とは反対側に指向性が向けられるように、アンテナ２０の指向性が制御される（指向性制御）。アンテナ２０の指向性は、各アンテナ素子の振幅及び位相を変化させることによって調整される。
【００６１】
（動作Ｂ）
動作Ｂは、近接物体が“人体”であり、通信状態が“待受け中”であるケースにおける無線端末１０の動作（アンテナ制御）である。
【００６２】
具体的には、人体から遠いアンテナ素子が人体に近いアンテナ素子よりも優先的に用いられるように、通信に用いるアンテナ素子が切り替えられる（ダイバーシチ制御）。なお、通信に用いられるアンテナ素子は、単数のアンテナ素子であっても、複数のアンテナ素子であってもよい。
【００６３】
人体とは反対側に指向性が向けられるように、アンテナ２０の指向性が制御される（指向性制御）。アンテナ２０の指向性は、各アンテナ素子の振幅及び位相を変化させることによって調整される。
【００６４】
（動作Ｃ）
動作Ｃは、近接物体が“人体”であり、通信状態が“通信中”であるケースにおける無線端末１０の動作（通信パラメータ制御）である。上述したように、“Ｔｉｍｅ  ｔｏ  Ｔｒｉｇｇｅｒ”や“Ｒｅｐｏｒｔｉｎｇ  Ｒａｎｇｅ”などとして、予め定められた最適値が設定される。
【００６５】
例えば、近接物体が“人体”であるため、ＣＳ通信が行われている可能性が高いと考えられる。従って、通信パラメータとして、ＣＳ通信に適した値が設定される。
【００６６】
（動作Ｄ）
動作Ｄは、近接物体が“人体”であり、通信状態が“待受け中”であるケースにおける無線端末１０の動作（通信パラメータ制御）である。上述したように、間欠受信周期、“Ｔｒｅｓｅｌｅｃｔｉｏｎ”や“Ｑｈｙｓｔ”などとして、予め定められた最適値が設定される。
【００６７】
例えば、近接物体が“人体”であるため、ＣＳ通信が開始される可能性が高いと考えられる。従って、通信パラメータとして、ＣＳ通信の開始に適した値が設定される。
【００６８】
（動作Ｅ）
動作Ｅは、近接物体が“人体”であり、通信状態が“待受け中”であるケースにおける無線端末１０の動作（端末設定制御）である。
【００６９】
具体的には、着信通知が着信音によって行われている場合に、着信音からバイブレーションに着信通知方法が切り替えられる。また、近接物体が“人体”ではないケースや近接物体がないケースよりも小さい着信音の音量が設定されてもよい。
【００７０】
これによって、着信音が過剰に出力されて、無線端末１０の周囲に存在する人に迷惑がかからないようにできる。
【００７１】
（動作Ｆ）
動作Ｆは、近接物体が“金属”であり、通信状態が“通信中”であるケースにおける無線端末１０の動作（アンテナ制御）である。
【００７２】
具体的には、金属（近接物体）から遠いアンテナ素子が人体に近いアンテナ素子よりも優先的に用いられるように、通信に用いるアンテナ素子が切り替えられる（ダイバーシチ制御）。なお、通信に用いられるアンテナ素子は、単数のアンテナ素子であっても、複数のアンテナ素子であってもよい。
【００７３】
金属とは反対側に指向性が向けられるように、アンテナ２０の指向性が制御される（指向性制御）。アンテナ２０の指向性は、各アンテナ素子の振幅及び位相を変化させることによって調整される。
【００７４】
（動作Ｇ）
動作Ｇは、近接物体が“金属”であり、通信状態が“通信中”であるケースにおける無線端末１０の動作（通信パラメータ制御）である。上述したように、“Ｔｉｍｅ  ｔｏ  Ｔｒｉｇｇｅｒ”や“Ｒｅｐｏｒｔｉｎｇ  Ｒａｎｇｅ”などとして、予め定められた最適値が設定される。
【００７５】
例えば、近接物体が“金属”であるため、ＰＳ通信が行われている可能性が高いと考えられる。従って、通信パラメータとして、ＰＳ通信に適した値が設定される。
【００７６】
（動作Ｈ）
動作Ｈは、近接物体が“金属”であり、通信状態が“待受け中”であるケースにおける無線端末１０の動作（通信パラメータ制御）である。上述したように、間欠受信周期、“Ｔｒｅｓｅｌｅｃｔｉｏｎ”や“Ｑｈｙｓｔ”などとして、予め定められた最適値が設定される。
【００７７】
例えば、近接物体が“金属”であるため、ＰＳ通信が開始される可能性が高いと考えられる。従って、通信パラメータとして、ＰＳ通信の開始に適した値が設定される。
【００７８】
（動作Ｉ）
動作Ｉは、近接物体が“金属”であり、通信状態が“待受け中”であるケースにおける無線端末１０の動作（端末設定制御）である。
【００７９】
具体的には、着信通知がバイブレーションによって行われている場合に、バイブレーションから着信音に着信通知方法が切り替えられる。
【００８０】
これによって、金属上で無線端末１０が振動することによって生じる騒音を抑制することができる。また、無線端末１０をユーザ２００が所持していないケースにおいても、ユーザ２００に呼び出しを知らせることができる。
【００８１】
（動作Ｊ）
動作Ｊは、近接物体が“プラスチック”であり、通信状態が“待受け中”であるケースにおける無線端末１０の動作（端末設定制御）である。
【００８２】
具体的には、着信通知がバイブレーションによって行われている場合に、バイブレーションから着信音に着信通知方法が切り替えられる。
【００８３】
これによって、無線端末１０をユーザ２００が所持していないケースにおいても、ユーザ２００に呼び出しを知らせることができる。
【００８４】
（無線端末の動作）
以下において、第１実施形態に係る無線端末の動作について、図面を参照しながら説明する。図７は、第１実施形態に係る無線端末１０の動作を示すフロー図である。なお、図７に示す処理は所定周期で繰り返される処理であることに留意すべきである。
【００８５】
図７に示すように、ステップ１０において、無線端末１０は、自端末に近接する物体の静電容量を測定する。
【００８６】
ステップ２０において、無線端末１０は、ステップ１０で測定された静電容量を誘電率に変換する。具体的には、無線端末１０は、上述したように、理論計算によって誘電率を算出する。無線端末１０は、理論計算によって誘電率を算出することが困難である場合には、静電容量と誘電率とを対応付けるテーブル（図４）を参照）を参照して、静電容量を誘電率に変換してもよい。
【００８７】
ステップ３０において、無線端末１０は、ステップ２０で変換された誘電率に基づいて、自端末に近接する物体の種類を判定する。具体的には、無線端末１０は、上述したように、物体の種類と誘電率とを対応付けるテーブル（図５を参照）を参照して、誘電率に対応する物体の種類を判定する。
【００８８】
ステップ４０において、無線端末１０は、ネットワーク側と送受信される各種信号に基づいて、自端末の通信状態を判定する。
【００８９】
ステップ５０において、無線端末１０は、ステップ３０で判定された物体の種類及びステップ４０で判定された通信状態に基づいてアンテナ制御を行う。具体的には、無線端末１０は、上述した図６などを参照して、物体の種類及び通信状態に対応するアンテナ制御を行う。アンテナ制御は、上述したように、アンテナのダイバーシチ制御及び指向性制御を含む。
【００９０】
ステップ６０において、無線端末１０は、ステップ３０で判定された物体の種類及びステップ４０で判定された通信状態に基づいて通信パラメータ制御を行う。具体的には、無線端末１０は、上述した図６などを参照して、物体の種類及び通信状態に対応する通信パラメータ制御を行う。通信パラメータは、上述したように、“Ｔｉｍｅ  ｔｏ  Ｔｒｉｇｇｅｒ”、“Ｒｅｐｏｒｔｉｎｇ  Ｒａｎｇｅ”、“間欠受信周期”、“Ｔｒｅｓｅｌｅｃｔｉｏｎ”、“Ｑｈｙｓｔ”などである。
【００９１】
ステップ７０において、無線端末１０は、ステップ３０で判定された物体の種類及びステップ４０で判定された通信状態に基づいて端末設定制御を行う。具体的には、無線端末１０は、上述した図６などを参照して、物体の種類及び通信状態に対応する端末設定制御を行う。端末設定制御は、上述したように、着信通知の方法を切り替える処理などである。
【００９２】
（作用及び効果）
第１実施形態によれば、判定部１５は、自端末に近接する物体の種類を静電容量に応じて判定し、制御部１６は、自端末に近接する物体の種類に応じて自端末の動作を制御する。従って、単に、自端末に近接する物体の有無や自端末の傾きに応じて無線端末の動作を制御する場合に比べて、自端末の環境状態に応じて無線端末１０の動作を適切に制御することができる。
【００９３】
第１実施形態によれば、判定部１５は、ネットワーク側と送受信する制御信号に応じて自端末の通信状態を判定し、制御部１６は、自端末に近接する物体の種類に加えて、自端末の通信状態に応じて無線端末１０の動作を制御する。従って、無線端末１０の動作を適切に制御することができる。
【００９４】
［第２実施形態］
以下において、第２実施形態について図面を参照しながら説明する。以下においては、上述した第１実施形態と第２実施形態との相違点について主として説明する。
【００９５】
具体的には、上述した第１実施形態では特に触れていないが、第２実施形態では、無線端末１０の状況（例えば、ユーザ２００の状況）を第三者が確認することが可能である。第２実施形態では、例えば、無線端末１０のユーザ２００が子供であるようなケースにおいて、第三者（子供の親など）が子供の状況を確認することが可能である。
【００９６】
（通信システムの構成）
以下において、第２実施形態に係る通信システムの構成について、図面を参照しながら説明する。図８は、第２実施形態に係る通信システムの構成を示す図である。
【００９７】
図８に示すように、通信システムは、無線端末１０と、ネットワーク３００と、端末３１０（端末３１０ａ及び端末３１０ｂ）とを有する。
【００９８】
ネットワーク３００は、基地局、アクセスポイント、交換機などを含むネットワークである。ネットワーク３００は、例えば、移動体通信網やインターネット網などを含む。
【００９９】
端末３１０は、端末３１０ａなどの携帯端末や端末３１０ｂなどのパーソナルコンピュータなどである。ここで、端末３１０のユーザ（例えば、親）は、無線端末１０のユーザ２００（例えば、子供）の状況を問合せる第三者である。
【０１００】
例えば、端末３１０は、無線端末１０の状況（ユーザ２００の状況）を問合せる問合わせ信号をネットワーク３００に送信する。ネットワーク３００は、問合わせ信号を無線端末１０に送信する。
【０１０１】
無線端末１０は、問合わせ信号に応じて、自端末の状況（ユーザ２００の状況）をネットワーク３００に送信する。ネットワーク３００は、自端末の状況（ユーザ２００の状況）を端末３１０に送信する。
【０１０２】
具体的には、無線端末１０は、近接物体の種類及び通信状況に応じて、自端末の状況（ユーザ２００の状況）を判定する。
【０１０３】
例えば、近接物体が“人体”である場合には、無線端末１０は、ユーザ２００が無線端末１０を所持していると判定する。なお、通信状態が“通信中”である場合には、無線端末１０は、ユーザ２００が通信（例えば、ＣＳ通信）を行っている旨についても、ネットワーク３００を介して端末３１０に通知してもよい。
【０１０４】
一方で、近接物体が“人体”でない物体（例えば、金属やプラスチックなど）である場合には、無線端末１０は、ユーザ２００が無線端末１０を所持していないと判定する。なお、通信状態が“通信中”である場合には、無線端末１０は、ユーザ２００が通信（例えば、ＰＳ通信）を行っている旨についても、ネットワーク３００を介して端末３１０に通知してもよい。
【０１０５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０６】
例えば、上述した実施形態では、静電容量と誘電率とを対応付けるテーブル（図４を参照）及び物体の種類と誘電率とを対応付けるテーブル（図５を参照）が設けられているが、これに限定されるものではない。具体的には、テーブル格納部１４は、物体の種類と静電容量とを直接的に対応付けるテーブルを有していてもよい。
【０１０７】
上述した実施形態では特に触れていないが、静電容量測定部１２は、複数の位置に設けられたセンサ５０によって検出された静電容量を測定し、判定部１５は、複数の位置に設けられたセンサ５０によって検出された静電容量に応じて、自端末に近接する物体の種類を判定してもよい。例えば、判定部１５は、センサ５０ａ〜センサ５０ｃによって検出された静電容量の全てが“人体”に対応する静電容量である場合には、近接物体が“人体”であると判定する。一方で、判定部１５は、センサ５０ａ及びセンサ５０ｂによって検出された静電容量が“金属”や“プラスチック”に対応する静電容量である場合には、センサ５０ｃによって検出された静電容量が他の物体に対応する静電容量であっても、近接物体が“金属”や“プラスチック”であると判定する。
【０１０８】
上述した実施形態では特に触れていないが、制御部１６は、近接物体が判定（検出）されてから直ちに、アンテナ制御、通信パラメータ制御及び端末設定制御を行ってもよい。制御部１６は、近接物体が判定（検出）されてから所定時間が経過した後に、アンテナ制御、通信パラメータ制御及び端末設定制御を行ってもよい。
【０１０９】
上述した実施形態では特に触れていないが、無線端末１０は、近接物体の種類をネットワーク側に通知するように構成されていてもよい。ネットワーク側は、近接物体の種類及び通信状態に応じて、無線端末１０に設定すべき通信パラメータを決定する。ネットワーク側は、通信パラメータを無線端末１０に通知し、無線端末１０は、ネットワーク側から通知された通信パラメータを自端末に設定する。
【図面の簡単な説明】
【０１１０】
【図１】第１実施形態に係る無線端末１０の周辺環境について説明するための図である。
【図２】第１実施形態に係る無線端末１０の外観を示す図である。
【図３】第１実施形態に係る無線端末１０の機能を示すブロック図である。
【図４】第１実施形態に係る静電容量と誘電率とを対応付けるテーブルを示す図である。
【図５】第１実施形態に係る物体の種類と誘電率とを対応付けるテーブルを示す図である。
【図６】第１実施形態に係る無線端末１０の動作を説明するための図である。
【図７】第１実施形態に係る無線端末１０の動作を示すフロー図である。
【図８】第２実施形態に係る通信システムの構成を示す図である。
【符号の説明】
【０１１１】
１０・・・無線端末、１１・・・通信部、１２・・・静電容量測定部、１３・・・変換部、１４・・・テーブル格納部、１５・・・判定部、１６・・・制御部、２０・・・アンテナ、３０・・・音声出力部、４０・・・音声集音部、５０・・・センサ、１００・・・物体、２００・・・ユーザ、３００・・・ネットワーク、３１０・・・端末
【図１】
0005070027.tif 000003
【図２】
0005070027.tif 000004
【図３】
0005070027.tif 000005
【図４】
0005070027.tif 000006
【図５】
0005070027.tif 000007
【図６】
0005070027.tif 000008
【図７】
0005070027.tif 000009
【図８】
0005070027.tif 000010